(57)【要約】【課題】  携帯電話機が無線基地局に無線接続されにくい場所や使用が禁止されている場所で通話を行うことのできる携帯電話機用充電装置を提供する。【解決手段】携帯充電器１５にＩＰ電話アダプタ１６が設けられていることにより、携帯電話機１４が商用電源の電力線を介してＩＰ電話専用網ＩＷに有線接続され、同携帯電話機１４が同ＩＰ電話専用網ＩＷを介して、携帯電話機１１、固定電話機１３又はＩＰ電話機２５との間でパケット通信による通話動作を行う。このため、屋内や地方のように、携帯電話機が無線基地局に無線接続されにくい場所や、病院などのように、携帯電話機の使用が禁止されている場所で手軽に通話が行われる。【選択図】図１
2006319655.tif 000002
【特許請求の範囲】
【請求項１】
電力線から供給される交流電力を直流電力に変えて携帯電話機に電源として搭載された二次電池を充電するための携帯電話機用充電装置であって、
前記電力線を介して前記携帯電話機と相手側の電話機との間で通話を実現させるための通話線接続手段が設けられていることを特徴とする携帯電話機用充電装置。
【請求項２】
前記通話線接続手段は、
前記電力線を介してＩＰ（インターネット・プロトコル）電話専用網に有線接続し、当該携帯電話機が該ＩＰ電話専用網を介して相手側の電話機との間で通話を行う構成とされていることを特徴とする請求項１記載の携帯電話機用充電装置。
【請求項３】
前記通話線接続手段は、
前記携帯電話機の通話に用いられる通信信号を前記電力線から供給される交流電力に対して重畳又は分離する構成とされていることを特徴とする請求項１又は２記載の携帯電話機用充電装置。
【請求項４】
前記電力線は、
当該携帯電話機用充電装置の前記通話線接続手段を前記ＩＰ電話専用網に有線接続するためのＩＰ電話専用網接続手段が設けられていることを特徴とする請求項１、２又は３記載の携帯電話機用充電装置。
【請求項５】
ＩＰ電話専用網接続手段は、
前記携帯電話機の通話に用いられる通信信号を前記電力線から供給される交流電力に対して重畳又は分離する構成とされていることを特徴とする請求項４記載の携帯電話機用充電装置。
【請求項６】
前記通話線接続手段は、
前記ＩＰ電話専用網との間の通話動作を、パケット通信を用いて行う構成とされていることを特徴とする請求項２記載の携帯電話機用充電装置。
【請求項７】
前記通話動作で送受信されるデータを記録する記録媒体が設けられていることを特徴とする請求項１乃至６記載の携帯電話機用充電装置。
【請求項８】
電力線から供給される交流電力を直流電力に変えて携帯電話機に電源として搭載された二次電池を充電するための携帯電話機用充電装置に用いられ、
通話線接続手段を設けておき、該通話線接続手段が、前記電力線を介して前記携帯電話機と相手側の電話機との間で通話を行うことを特徴とする通信方法。
【請求項９】
前記通話線接続手段が、前記電力線を介してＩＰ（インターネット・プロトコル）電話専用網に有線接続し、当該携帯電話機が該ＩＰ電話専用網を介して相手側の電話機との間で通話動作を行うことを特徴とする請求項８記載の通信方法。
【発明の詳細な説明】
【技術分野】
【０００１】
この発明は、携帯電話機用充電装置及び該携帯電話機用充電装置に用いられる通信方法に係り、たとえば屋内や地方のように、商用電源は得られるが、携帯電話機が無線基地局に無線接続されにくい場所や、病院などのように、携帯電話機の使用が禁止されている場所で用いて好適な携帯電話機用充電装置及び該携帯電話機用充電装置に用いられる通信方法に関する。
【背景技術】
【０００２】
携帯電話機の通信動作では、無線基地局との間で無線電波が送受信される。無線基地局は、圏移動通信交換局及び関門移動通信交換局を介して一般電話回線網に接続されている。この携帯電話機の通信相手側の電話機は、固定電話機であれば、中継交換機などを介して上記一般電話回線網に接続され、携帯電話機であれば、無線基地局、圏移動通信交換局及び関門移動通信交換局などを介して上記一般電話回線網に接続されている。
【０００３】
この種の携帯電話機は、従来では、たとえば図３に示すような環境で用いられている。
すなわち、携帯電話機１は無線基地局２に無線接続され、同無線基地局２が、図示しない在圏移動通信交換局及び関門移動通信交換局を介して一般電話回線網ＮＷに有線接続されている。一般電話回線網ＮＷには、図示しない中継交換機などを介して固定電話機３が有線接続される他、図示しない在圏移動通信交換局及び関門移動通信交換局を介して無線基地局４が有線接続されている。無線基地局４には、携帯電話機５が無線接続されている。上記携帯電話機１は家屋６外で使用され、携帯電話機５が同家屋６内で使用されている。
【０００４】
この環境では、携帯電話機１と無線基地局２との間で無線電波Ｗが送受信される。また、携帯電話機５と無線基地局４との間で無線電波Ｗが送受信される。そして、携帯電話機１から、無線基地局２、一般電話回線網ＮＷ及び無線基地局４を経て携帯電話機５に対して通話が行われる。また、固定電話機３から、一般電話回線網ＮＷ及び無線基地局４を経て携帯電話機５に対して通話が行われる。
【０００５】
しかしながら、上記携帯電話機１，５では、次のような問題点があった。
たとえば、携帯電話機１，５が使用される場所が首都圏ではなく僻地などの場合、無線基地局が少ないため、無線基地局２，４の管轄するセルの範囲外や境界点となることがある。この場合、携帯電話機１，５が無線基地局２，４に無線接続されにくく、通話が不可能になったり、接続された場合でも、通話が途中で切断されることがあるという問題点がある。また、家屋６内で使用されている携帯電話機５では、家屋６内に障害物などがあると、無線基地局４に無線接続されにくく、同様の問題点がある。また、屋内ＩＰ（インターネット・プロトコル）電話方式を利用する場合、屋内の電話端子に固定電話機を接続し、同固定電話機をＩＰ電話専用網に有線接続して通話が行われるが、ＡＤＳＬ（Asymmetric Digital Subscriber Line）や光ファイバなどのブロードバンドサービスの加入者を対象にしたものであり、ユーザの利用できる可能性が屋内のネットワーク設備に依存し、全てのユーザが手軽に利用できるものではないという問題点がある。このため、携帯電話機としての機能を維持しつつ、無線電波Ｗを使用せずに通話及び通信が行われる技術を確立する必要があるという課題がある。
【０００６】
上記の課題に関連する技術としては、たとえば、次のような文献に記載されるものがあった。
特許文献１に記載された充電器では、無線通信端末と電力線とに接続することにより、同無線通信端末と同電力線との間の通信インタフェースとなり、同無線通信端末と同電力線との間で同電力線を用いた電力線搬送通信の中継処理が行われる。このため、電力線搬送通信により無線通信端末のデータ通信が可能なり、さらに、無線通信端末にとって不可欠なバッテリの充電時にあわせて電力線搬送通信を行うことで、定期的なデータ通信が実現し、ユーザの利便性が向上する。
【０００７】
特許文献２に記載された携帯電話用アダプタは、携帯電話機の外部接続端子に装着されると、インターネットに接続可能か判断し、接続可能であれば通話相手のＩＰ番号がインターネットに接続されているか確認し、接続されていれば、ＩＰ用基地局及びインターネットを介して同ＩＰ番号で発呼し、接続されていなければ、携帯電話機から携帯用基地局を介して発呼を行う。
【特許文献１】特開２００３−１６９００４号公報（第８頁、図２）
【特許文献２】特開２００４−１３５３２４号公報（要約書、図１）
【発明の開示】
【発明が解決しようとする課題】
【０００８】
しかしながら、上記各文献に記載された技術では、次のような問題点があった。
すなわち、特許文献１に記載された充電器は、バッテリの充電時にあわせて電力線搬送通信を行うことにより、定期的なデータ通信を実現するものであり、ＩＰ電話の使用を考慮したものではなく、この発明とは主旨が異なり、上記の問題点は改善されない。
【０００９】
特許文献２に記載された携帯電話用アダプタは、携帯電話機が無線基地局に無線接続されにくい場所や、携帯電話機の使用が禁止されている場所で有効に働くものではなく、上記の問題点は改善されない。
【００１０】
この発明は、上述の事情に鑑みてなされたもので、携帯電話機が無線基地局に無線接続されにくい場所や、携帯電話機の使用が禁止されている場所で手軽に通話及び通信を行うことのできる携帯電話機用充電装置を提供することを目的としている。
【課題を解決するための手段】
【００１１】
上記課題を解決するために、請求項１記載の発明は、電力線から供給される交流電力を直流電力に変えて携帯電話機に電源として搭載された二次電池を充電するための携帯電話機用充電装置に係り、前記電力線を介して前記携帯電話機と相手側の電話機との間で通話を実現させるための通話線接続手段が設けられていることを特徴としている。
【００１２】
請求項２記載の発明は、請求項１記載の携帯電話機用充電装置に係り、前記通話線接続手段は、前記電力線を介してＩＰ（インターネット・プロトコル）電話専用網に有線接続し、当該携帯電話機が該ＩＰ電話専用網を介して相手側の電話機との間で通話を行う構成とされていることを特徴としている。
【００１３】
請求項３記載の発明は、請求項１又は２記載の携帯電話機用充電装置に係り、前記通話線接続手段は、前記携帯電話機の通話に用いられる通信信号を前記電力線から供給される交流電力に対して重畳又は分離する構成とされていることを特徴としている。
【００１４】
請求項４記載の発明は、請求項１、２又は３記載の携帯電話機用充電装置に係り、前記電力線は、当該携帯電話機用充電装置の前記通話線接続手段を前記ＩＰ電話専用網に有線接続するためのＩＰ電話専用網接続手段が設けられていることを特徴としている。
【００１５】
請求項５記載の発明は、請求項４記載の携帯電話機用充電装置に係り、ＩＰ電話専用網接続手段は、前記携帯電話機の通話に用いられる通信信号を前記電力線から供給される交流電力に対して重畳又は分離する構成とされていることを特徴としている。
【００１６】
請求項６記載の発明は、請求項２記載の携帯電話機用充電装置に係り、前記通話線接続手段は、前記ＩＰ電話専用網との間の通話動作を、パケット通信を用いて行う構成とされていることを特徴としている。
【００１７】
請求項７記載の発明は、請求項１乃至６記載の携帯電話機用充電装置に係り、前記通話動作で送受信されるデータを記録する記録媒体が設けられていることを特徴としている。
【００１８】
請求項８記載の発明は、通信方法に係り、電力線から供給される交流電力を直流電力に変えて携帯電話機に電源として搭載された二次電池を充電するための携帯電話機用充電装置に用いられ、通話線接続手段を設けておき、該通話線接続手段が、前記電力線を介して前記携帯電話機と相手側の電話機との間で通話を行うことを特徴としている。
【００１９】
請求項９記載の発明は、請求項８記載の通信方法に係り、前記通話線接続手段が、前記電力線を介してＩＰ（インターネット・プロトコル）電話専用網に有線接続し、当該携帯電話機が該ＩＰ電話専用網を介して相手側の電話機との間で通話動作を行うことを特徴としている。
【発明の効果】
【００２０】
この発明の構成によれば、携帯充電器に通話線接続手段が設けられていることにより、携帯電話機が電力線を介して相手側の電話機との間で通話動作を行うので、屋内や地方のように、携帯電話機が無線基地局に無線接続されにくい場所や、病院などのように、携帯電話機の使用が禁止されている場所であっても、商用電源が得られれば、手軽に通話を行うことができる。また、この場合、既設の電力線や商用コンセントを利用するので、新たに信号伝送用ケーブルなどを敷設する必要がない。また、携帯充電器に通話線接続手段が設けられていることにより、携帯電話機が電力線を介してＩＰ電話専用網に有線接続され、同携帯電話機が同ＩＰ電話専用網を介して、相手側の電話機との間で通話動作を行うので、屋内や地方のように、携帯電話機が無線基地局に無線接続されにくい場所や、病院などのように、携帯電話機の使用が禁止されている場所であっても、商用電源が得られれば、手軽に通話を行うことができる。また、この場合、既設の電力線や商用コンセントを利用するので、新たに信号伝送用ケーブルなどを敷設する必要がない。
【発明を実施するための最良の形態】
【００２１】
ＩＰ電話アダプタを備え、携帯電話機が同ＩＰ電話アダプタにより商用電源の電力線を介してＩＰ電話専用網に有線接続され、同携帯電話機が同ＩＰ電話専用網を介して相手側の電話機との間で通話動作を行う携帯電話機用充電装置を提供する。
【実施例】
【００２２】
図１は、この発明の一実施例である携帯電話機用充電装置が用いられる環境を示す図である。
この例の環境では、同図に示すように、携帯電話機１１は無線基地局１２に無線接続され、同無線基地局１２が、図示しない在圏移動通信交換局及び関門移動通信交換局を介して一般電話回線網ＮＷに有線接続されている。一般電話回線網ＮＷには、図示しない中継交換機などを介して固定電話機１３が有線接続される他、ゲートウエイＧＷを介してＩＰ電話専用網ＩＷが有線接続されている。ゲートウエイＧＷは、ＩＰ電話のユーザと加入電話のユーザとが相互に通話できるようにするために、一般電話回線網ＮＷとＩＰ電話専用網ＩＷとを接続する。ＩＰ電話専用網ＩＷは、たとえばＬＡＮ（Local Area Network）などで構成されている。
【００２３】
また、家屋Ｈ内には、携帯電話機１４が配置されている。携帯電話機１４は、装着された図示しない二次電池を電源として所定の通話動作を行う。携帯電話機１４の外部には、同携帯電話機１４の多機能コネクタを介して携帯充電器１５（すなわち、携帯電話機用充電装置）が接続されている。携帯充電器１５には、ＩＰ電話アダプタ１６が内蔵され、かつＳＤ（secure digital）メモリカード１７が装着されている。携帯充電器１５は、電源回路１５ａにより、電力線から供給される交流電力（たとえば、商用電源）を元に上記二次電池を充電するための充電用電圧を生成して同二次電池を充電する。ＩＰ電話アダプタ１６は、携帯電話機１４の通話動作に用いられる通信信号を商用電源に対して重畳又は分離するモデムで構成され、同携帯電話機１４を商用電源の電力線を介してＩＰ電話専用網ＩＷに有線接続し、同携帯電話機１４が同ＩＰ電話専用網ＩＷを介して相手側の電話機との間でパケット通信による通話動作を行うためのものである。ＳＤメモリカード１７は、上記通話動作で送受信される音声及び音声以外のデータを記録する記録媒体であり、携帯充電器１５に対して着脱可能な構成とされている。
【００２４】
家屋Ｈ内に設けられている商用コンセント１８は、引込み線１９を介して電柱２０上の柱上トランス２１に接続されている。柱上トランス２１は、電力線２２を介して図示しない変電所に接続されている。また、引込み線１９には、ＰＬＣ（Power Line Communication Modem）モデム２３が接続されている。ＰＬＣモデム２３は、携帯電話機１４の通話動作に用いられる通信信号を商用電源に対して重畳又は分離するモデムで構成されると共に、たとえば電柱２０に取り付けられ、商用コンセント１８に差し込まれている携帯充電器１５のＩＰ電話アダプタ１６を、地域ＩＰ網２４を介してＩＰ電話専用網ＩＷに有線接続する。また、ＰＬＣモデム２３は、高速電灯線モデムと呼ばれるものであり、電灯線を介したインターネット接続にも用いられ、最大で３Ｍｂｐｓの通信速度を実現する。また、ＩＰ電話専用網ＩＷには、ＩＰアドレスが設定されたＩＰ電話機２５が接続されている。
【００２５】
図２は、図１中の携帯充電器１５の動作を説明する流れ図である。
この図を参照して、この例の携帯電話機用充電装置に用いられる通信方法の処理内容について説明する。
この通信方法では、携帯充電器１５にＩＰ電話アダプタ１６が設けられ、同ＩＰ電話アダプタ１６により、携帯電話機１４が商用電源の電力線を介してＩＰ電話専用網ＩＷに有線接続され、同携帯電話機１４で該ＩＰ電話専用網ＩＷを介して相手側の電話機との間で通話動作が行われる。
【００２６】
すなわち、商用コンセント１８から携帯充電器１５に商用電源が供給され、電源回路１５ａにより、商用電源を元に二次電池を充電するための充電用電圧が生成されて同二次電池が充電されると共に、携帯電話機１４に電源が供給される。ユーザの操作により、携帯電話機１４から携帯電話機１１に対する発信が行われ、同携帯電話機１４からの音声信号がＩＰ電話アダプタ１６によりＩＰパケット化される。ＩＰパケット化された音声信号（ＩＰパケット音声）は、商用電源に重畳され、商用コンセント１８及び引込み線１９を経てＰＬＣモデム２３に入力される。ＰＬＣモデム２３では、商用電源に重畳されたＩＰパケット音声から同ＩＰパケット化音声が分離される。分離されたＩＰパケット音声は、ＰＬＣモデム２３から、専用の光ファイバケーブル及び地域ＩＰ網２４を経てＩＰ電話専用網ＩＷに到達し、さらに、ゲートウエイＧＷで一般電話回線網ＮＷに対応した音声信号に変換され、同一般電話回線網ＮＷ、関門移動通信交換局、在圏移動通信交換局及び無線基地局１２を経て携帯電話機１１に着信する。
【００２７】
また、携帯電話機１４から固定電話機１３に対する発信が行われたとき、ＩＰパケット音声は、ＩＰ電話専用網ＩＷからゲートウエイＧＷ及び一般電話回線網ＮＷを経て固定電話機１３に着信する。また、携帯電話機１４からＩＰ電話機２５に対する発信が行われたとき、ＩＰパケット音声は、ＩＰ電話専用網ＩＷを経てＩＰ電話機２５に着信する。
【００２８】
また、携帯電話機１１から携帯電話機１４に対する発信が行われたとき、同携帯電話機１１は無線基地局１２に無線接続され、同携帯電話機１１からの音声信号が同無線基地局１２及び一般電話回線網ＮＷを経てゲートウエイＧＷに入力され、ＩＰパケット音声に変換される。このＩＰパケット音声は、ＩＰ電話専用網ＩＷ及び地域ＩＰ網２４を経てＰＬＣモデム２３に到達し、商用電源に重畳されて引込み線１９及び商用コンセント１８を経てＩＰ電話アダプタ１６に入力されて携帯電話機１４に対応した音声信号に変換され、同携帯電話機１４に着信する。また、固定電話機１３から携帯電話機１４に対する発信が行われたとき、同固定電話機１３からの音声信号が一般電話回線網ＮＷを経てゲートウエイＧＷに入力され、ＩＰパケット音声に変換され、以後、上記携帯電話機１１の場合と同様に、携帯電話機１４に着信する。また、ＩＰ電話機２５から携帯電話機１４に対する発信が行われたとき、同ＩＰ電話機２５からのＩＰパケット音声がＩＰ電話専用網ＩＷ及び地域ＩＰ網２４を経てＰＬＣモデム２３に到達し、以後、上記携帯電話機１１の場合と同様に、携帯電話機１４に着信する。
【００２９】
また、ＳＤメモリカード１７が携帯充電器１５に装着されている場合、携帯電話機１１、固定電話機１３又はＩＰ電話機２５と、携帯電話機１４との通話動作で送受信される音声及び音声以外のデータ（たとえば、携帯電話機１１で撮影された写真の画像データなど）が記録される。データが記録されたＳＤメモリカード１７は、たとえばパソコンなどに装着されることにより、同データの受け渡しが行われる。
【００３０】
以上のように、この実施例では、携帯充電器１５にＩＰ電話アダプタ１６が設けられていることにより、携帯電話機１４が商用電源の電力線を介してＩＰ電話専用網ＩＷに有線接続され、同携帯電話機１４が同ＩＰ電話専用網ＩＷを介して、携帯電話機１１、固定電話機１３又はＩＰ電話機２５との間でパケット通信による通話動作を行うので、屋内や地方のように、携帯電話機が無線基地局に無線接続されにくい場所や、病院などのように、携帯電話機の使用が禁止されている場所であっても、手軽に通話及び通信が行われる。また、この場合、既設の電力線や商用コンセントを利用するので、新たにＬＡＮケーブルなどを敷設する必要がなく、利用範囲が広い。
【００３１】
以上、この発明の実施例を図面により詳述してきたが、具体的な構成は同実施例に限られるものではなく、この発明の要旨を逸脱しない範囲の設計の変更などがあっても、この発明に含まれる。
たとえば、図１中のＰＬＣモデム２３の設置場所は、電柱２０に限定されない。また、ＩＰ電話機２５は、図示しない地域ＩＰ網を介してＩＰ電話専用網ＩＷに接続されていても良い。
【産業上の利用可能性】
【００３２】
この発明は、携帯電話機が無線基地局に無線接続されにくい場所や使用が禁止されている場所で、電力線を介して通信を行う場合全般に適用できる。
【図面の簡単な説明】
【００３３】
【図１】この発明の一実施例である携帯電話機用充電装置が用いられる環境を示す図である。
【図２】図１中の携帯充電器１５の動作を説明する流れ図である。
【図３】従来の携帯電話機が用いられる環境を示す図である。
【符号の説明】
【００３４】
１１      携帯電話機（相手側の電話機）
１３      固定電話機（相手側の電話機）
１４      携帯電話機
１５      携帯充電器（携帯電話機用充電装置）
１６      ＩＰ電話アダプタ（通話線接続手段）
１７      ＳＤ（secure digital）メモリカード（記録媒体）
１８      商用コンセント（電力線の一部）
１９      引込み線（電力線の一部）
２２      電力線
２３      ＰＬＣ（Power Line Communication Modem）モデム（ＩＰ電話専用網接続手段）
２４      地域ＩＰ網（ＩＰ電話専用網の一部）
ＩＷ      ＩＰ電話専用網
【図１】
2006319655.tif 000003
【図２】
2006319655.tif 000004
【図３】
2006319655.tif 000005